(57)【要約】【課題】  放送信号にデータ信号を含んだ放送を受信し、適切な受信処理を行う。【解決手段】  受信中のデータ希望局放送波の受信品質が良好であることを条件として、データ放送信号に道路交通情報が含まれていない所定期間（例えば、ＲＳＤデータのブロックＡを受信している期間）にわたって、制御部１８５が、双方のＲＦ処理ユニット１２０1，１２０2に、利用者が指定している音声希望局を選局させる。そして、制御部１８５は、当該所定期間におけるＲＦ処理ユニット１２０1，１２０2から出力される信号ＩＦＤ1，ＩＦＤ2の受信品質を評価する。引き続き、制御部１８５は、所定期間における信号ＩＦＤ1，ＩＦＤ2の受信品質に基づいて、より良好な受信品質の音声希望放送波を選局したＲＦ処理ユニットに音声希望局を選局させるとともに、他方のＲＦ処理ユニットにデータ希望局を選局させる。【選択図】  図３
2014204274.tif 000002
【特許請求の範囲】
【請求項１】
第１のアンテナに接続され、通常選局時において、放送信号にデータ放送信号を含んだ放送を行う放送局から送信される第１放送波、及び、前記放送局とは異なる他放送局から送信される第２放送波の一方の選局処理を行う第１受信処理部と；
第２のアンテナに接続され、前記通常選局時において、前記第１放送波及び前記第２放送波の他方の選局処理を行う第２受信処理部と；
前記第１受信処理部による選局対象となる放送波の受信品質、及び、前記第２受信処理部による選局対象となる放送波の受信品質を検出する検出部と；
前記第１受信処理部及び前記第２受信処理部の受信処理を制御する制御部と；を備え、
前記制御部は、
選局中の前記第１放送波の受信品質が所定品質以上である場合に、前記通常選局を解除して、所定期間にわたって前記第１放送波を選局している受信処理部に前記第２放送波を選局させ、
前記所定期間における前記第１受信処理部が選局している前記第２放送波の受信品質、及び、前記第２受信処理部が選局している前記第２放送波の受信品質に基づいて、前記第２放送波の受信品質がより良好な受信処理部に前記第２放送波を選局させ、他方の受信処理部に前記第１放送波を選局させる選局指定制御を行う、
ことを特徴とする放送受信装置。
【請求項２】
前記データ放送信号には、道路交通情報を含む主データ情報ブロックと、放送局の番組識別を示す情報を含む補助データ情報ブロックとを含み、
前記所定期間は、前記第１放送波の選局処理を行っている受信処理部が、前記補助データ情報ブロックを受信している期間である、
ことを特徴とする請求項１に記載の放送受信装置。
【請求項３】
前記第１受信処理部から出力された第１出力信号、及び、前記第２受信処理部から出力された第２出力信号の一方を受けて、前記第１放送に関する再生処理を行う第１再生信号生成部と；
前記第１出力信号及び前記第２出力信号の他方を受けて、前記第２放送に関する再生処理を行う第２再生信号生成部と；を更に備え、
前記制御部は、
前記選局指定制御に加えて、前記第１放送波を選局している受信処理部の出力先を前記第１再生信号処理部に決定するとともに、前記第２放送波を選局している受信処理部の出力先を前記第２再生信号処理部に決定する、
ことを特徴とする請求項１又は２に記載の放送受信装置。
【請求項４】
前記検出部は、前記第１受信処理部及び前記第２受信処理部による選局処理の対象となる放送波の電界強度を検出する、ことを特徴とする請求項１〜３のいずれか一項に記載の放送受信装置。
【請求項５】
前記検出部は、前記第１受信処理部及び前記第２受信処理部による選局処理の対象となる放送波におけるノイズレベルを更に検出する、ことを特徴とする請求項４に記載の放送受信装置。
【請求項６】
前記第１受信処理部及び前記第２受信処理部からの出力信号は、検波処理を施した信号である、ことを特徴とする請求項１〜５のいずれか一項に記載の放送受信装置。
【請求項７】
前記第１受信処理部及び前記第２受信処理部からの出力信号は、中間周波信号である、ことを特徴とする請求項１〜５のいずれか一項に記載の放送受信装置。
【請求項８】
第１のアンテナに接続され、通常選局時において、放送信号にデータ放送信号を含んだ放送を行う放送局から送信される第１放送波、及び、前記放送局とは異なる他放送局から送信される第２放送波の一方の選局処理を行う第１受信処理部と；第２のアンテナに接続され、前記通常選局時において、前記第１放送波及び前記第２放送波の他方の選局処理を行う第２受信処理部と；を備える放送受信装置において使用される放送受信方法であって、
選局中の前記第１放送波の受信品質が所定品質以上である場合に、前記通常選局を解除して、所定期間にわたって前記第１放送波を選局している受信処理部に前記第２放送波を選局させる選局工程と；
前記所定期間における前記第１受信処理部が選局している前記第２放送波の受信品質、及び、前記第２受信処理部が選局している前記第２放送波の受信品質に基づいて、前記第２放送波の受信品質がより良好な受信処理部に前記第２放送波を選局させ、他方の受信処理部に前記第１放送波を選局させる選局指定制御工程と；
を備えることを特徴とする放送受信方法。
【請求項９】
第１のアンテナに接続され、選局処理を行う第１受信処理部と；第２のアンテナに接続され、選局処理を行う第２受信処理部と；を備える放送受信装置が有するコンピュータに、請求項８に記載の放送受信方法を実行させる、ことを特徴とする放送受信プログラム。
【請求項１０】
第１のアンテナに接続され、選局処理を行う第１受信処理部と；第２のアンテナに接続され、選局処理を行う第２受信処理部と；を備える放送受信装置が有するコンピュータにより読み取り可能に、請求項９に記載の放送受信プログラムが記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
従来から、車両等の移動体に搭載され、ラジオ放送波などの放送波を受信する放送受信装置が広く普及している。こうした放送受信装置に関する技術の進展は目覚ましく、ラジオ放送の副搬送波の一部を用いてデータ信号を多重伝送する情報伝送システムが実用化されている。
【０００３】
例えば、欧州において実施されているラジオデータシステム（ＲＤＳ）では、選局中の放送局が放送している番組と同一の番組を放送している放送局の選局周波数の情報（ＡＦ（Alternative Frequency）リスト）等を担ったデータ信号が多重伝送されている。こうした場合には、各時点における最適な放送局を選局するために、ＡＦリストを参照して、当該ＡＦリストに登録されている放送局のそれぞれの放送波の受信品質を検出する代替放送局のシークが可能となる。この結果、特定の番組を再生するために最適な放送局を選局することができるようになっている。
【０００４】
かかる背景のもと、２つのチューナを備える構成を採用し、メインチューナにおいて特定の番組を再生するための選局を行い、サブチューナにおいて代替放送局それぞれの放送波の受信品質を検出するための選局を行う技術が提案されている（特許文献１参照：以下、「従来例」と呼ぶ）。この従来例の技術では、メインチューナ及びサブチューナが、互いに異なるアンテナに接続されるようになっている。
【０００５】
そして、双方の受信信号の受信状態が良好であると判定されたときには、メインチューナとサブチューナとを独立に動作可能とし、メインチューナに、番組を再生するための選局中の放送局（以下、「希望局」という）を選局させるとともに、サブチューナに、当該希望局とは異なる放送局を選局させる（以下、この受信モードを「独立動作受信モード」とも記す）。一方、希望局の放送波の受信品質が低下した場合には、メインチューナ及びサブチューナに希望局を選局させ、２つのチューナから出力される信号を合成するフェーズダイバーシティ受信モードに移行させるようになっている。
【先行技術文献】
【特許文献】
【０００６】
【特許文献１】特開２００７−６０６２４号公報
【発明の概要】
【発明が解決しようとする課題】
【０００７】
上述した従来例の技術では、代替放送局のシークと所望の番組の再生とを両立させるために、双方の受信信号の受信状態が良好であるときに、独立動作受信モードで、メインチューナに希望局を選局させるとともに、サブチューナに代替放送局を選局させている。そして、希望局の放送信号の受信状態が低下した場合には、希望局の放送信号の受信を優先させるために、フェーズダイバーシティ受信モードに移行する。
【０００８】
さて、多重伝送されるデータ信号には、例えば、道路交通情報が含まれる場合がある。こうした道路交通情報は、全ての放送局から放送されるとは限らない。このため、道路交通情報の取得と、所望の番組の再生とを両立させるためには、２チューナ構成が必要となる。
【０００９】
ところで、道路交通情報のように車両の運転に際しての重要情報の取得を行う場合には、当該重要情報の取得を極力できるようにする必要がある。しがたって、従来例の技術のように、希望局を専用に選局するチューナで、希望局の放送信号の受信状態が低下した場合に、希望局の放送信号の受信を最優先させるフェーズダイバーシティ受信モードに移行することは、望ましくない。
【００１０】
このため、放送信号にデータ信号を含んだ放送局から送信される放送波、及び、当該放送局とは異なる希望局から送信される放送波を再生するに際して、道路交通情報等のような重要情報の取得を確保したうえで、音声放送等を行う希望局の放送信号の再生品質向上にも貢献することができる技術が望まれている。かかる要請に応えることが、本発明が解決すべき課題の一つとして挙げられる。
【００１１】
本発明は、上記の事情を鑑みてなされたものであり、放送信号にデータ信号を含んだ放送を受信し、適切な受信処理を行うことができる新たな放送受信装置及び放送受信方法を提供することを目的とする。
【課題を解決するための手段】
【００１２】
請求項１に記載の発明は、第１のアンテナに接続され、通常選局時において、放送信号にデータ放送信号を含んだ放送を行う放送局から送信される第１放送波、及び、前記放送局とは異なる他放送局から送信される第２放送波の一方の選局処理を行う第１受信処理部と；第２のアンテナに接続され、前記通常選局時において、前記第１放送波及び前記第２放送波の他方の選局処理を行う第２受信処理部と；前記第１受信処理部による選局対象となる放送波の受信品質、及び、前記第２受信処理部による選局対象となる放送波の受信品質を検出する検出部と；前記第１受信処理部及び前記第２受信処理部の受信処理を制御する制御部と；を備え、前記制御部は、選局中の前記第１放送波の受信品質が所定品質以上である場合に、前記通常選局を解除して、所定期間にわたって前記第１放送波を選局している受信処理部に前記第２放送波を選局させ、前記所定期間における前記第１受信処理部が選局している前記第２放送波の受信品質、及び、前記第２受信処理部が選局している前記第２放送波の受信品質に基づいて、前記第２放送波の受信品質がより良好な受信処理部に前記第２放送波を選局させ、他方の受信処理部に前記第１放送波を選局させる選局指定制御を行う、ことを特徴とする放送受信装置である。
【００１３】
請求項８に記載の発明は、第１のアンテナに接続され、通常選局時において、放送信号にデータ放送信号を含んだ放送を行う放送局から送信される第１放送波、及び、前記放送局とは異なる他放送局から送信される第２放送波の一方の選局処理を行う第１受信処理部と；第２のアンテナに接続され、前記通常選局時において、前記第１放送波及び前記第２放送波の他方の選局処理を行う第２受信処理部と；を備える放送受信装置において使用される放送受信方法であって、選局中の前記第１放送波の受信品質が所定品質以上である場合に、前記通常選局を解除して、所定期間にわたって前記第１放送波を選局している受信処理部に前記第２放送波を選局させる選局工程と；前記所定期間における前記第１受信処理部が選局している前記第２放送波の受信品質、及び、前記第２受信処理部が選局している前記第２放送波の受信品質に基づいて、前記第２放送波の受信品質がより良好な受信処理部に前記第２放送波を選局させ、他方の受信処理部に前記第１放送波を選局させる選局指定制御工程と；を備えることを特徴とする放送受信方法である。
【００１４】
請求項９に記載の発明は、第１のアンテナに接続され、選局処理を行う第１受信処理部と；第２のアンテナに接続され、選局処理を行う第２受信処理部と；を備える放送受信装置が有するコンピュータに、請求項８に記載の放送受信方法を実行させる、ことを特徴とする放送受信プログラムである。
【００１５】
請求項１０に記載の発明は、第１のアンテナに接続され、選局処理を行う第１受信処理部と；第２のアンテナに接続され、選局処理を行う第２受信処理部と；を備える放送受信装置が有するコンピュータにより読み取り可能に、請求項９に記載の放送受信プログラムが記録されている、ことを特徴とする記録媒体である。
【図面の簡単な説明】
【００１６】
【図１】本発明の一実施形態に係る放送受信装置の構成を概略的に示すブロック図である。
【図２】図１の再生処理ユニットの構成を示すブロック図である。
【図３】図１の受信制御ユニットの構成を示すブロック図である。
【図４】図３の検出部の構成を示すブロック図である。
【図５】図４のＢＰＦ２１４1，２１４2の特性を示す図である。
【図６】図４のＢＰＦ２１５1，２１５2の特性を示す図である。
【図７】図１の装置による選択受信の切り替え制御処理を説明するためのフローチャートである。
【図８】図７の検波信号の出力先の決定制御処理を説明するためのフローチャートである。
【発明を実施するための形態】
【００１７】
以下、本発明の一実施形態を、図１〜図８を参照して説明する。本実施形態においては、車両内に配置され、放送信号にＲＤＳデータ信号（以下、「データ放送信号」とも記す）を含んだＦＭ放送波を受信して処理するＦＭラジオ受信装置を例示して説明する。そして、本実施形態のＦＭラジオ受信装置は、当該データ放送信号の中に「道路交通情報」を担った信号が含まれる場合には、当該道路交通情報を反映した画像を再生表示する機能を有しているものとする。なお、以下の説明及び図面においては、同一又は同等の要素には同一の符号を付し、重複する説明を省略する。
【００１８】
［ＲＤＳデータの構造］
本実施形態に係る放送受信装置の構成の説明に先立って、ＲＤＳデータの構造について説明する。
【００１９】
ＲＤＳデータは、１１８７．５ビット／秒で伝送され、１０４ビットを１グループとしている。そして、１グループは、２６ビットを１ブロックとする「ブロックＡ」、「ブロックＢ」、「ブロックＣ」及び「ブロックＤ」の４ブロックで構成されている。これらの各ブロックは、１６ビットのインフォメーションワードと、１０ビットの誤り訂正用のチェックワードとから構成される。
【００２０】
このため、ＲＤＳデータ信号を受信する放送受信装置では、８７．６［ｍｓｅｃ］ごとに、順次、ＲＤＳグループを受信することになる。そして、各ブロックのデータ信号を受信する期間長は、２１．９［ｍｓｅｃ］となっている。
【００２１】
ここで、「ブロックＡ」は、放送局の番組を識別するためのＰＩコードを有している。すなわち、「ブロックＡ」には、「道路交通情報」の実体情報を担った信号は含まれていない。そして、ＲＤＳデータから「道路交通情報」の実体情報を取得するには、一度、「ブロックＡ」に含まれる情報を取得すればよく、その後においては、ＲＤＳグループを受信するたびに、「ブロックＡ」に含まれる情報を取得する必要はない。
【００２２】
また、「ブロックＢ」には、グループタイプコード、番組の種類を示すＰＴＹコード、交通番組を識別するためのＴＰコード等が含まれている。また、「ブロックＣ」及び「ブロックＤ」には、コード化された道路交通情報（ＴＭＣ：Traffic Message Channel）、代替周波数のリスト等の情報が、グループタイプに対応して含まれている。例えば、道路交通情報は、ＲＤＳ規格で規定されているグループタイプ８Ａのグループに含まれている。
【００２３】
すなわち、本実施形態では、「ブロックＡ」が補助データ情報ブロックに対応し、「ブロックＢ」〜「ブロックＤ」が主データ情報ブロックに対応している。
【００２４】
［構成］
図１には、一実施形態に係る放送受信装置１００の概略的な構成がブロック図にて示されている。図１に示されるように、放送受信装置１００は、２個のアンテナ１１０1，１１０2と、２個のＲＦ処理ユニット１２０1，１２０2と、再生処理ユニット１３０とを備えている。また、放送受信装置１００は、入力ユニット１４０と、音出力ユニット１５０と、表示ユニット１６０とを備えている。さらに、放送受信装置１００は、受信制御ユニット１８０を備えている。
【００２５】
上記のアンテナ１１０1，１１０2は、放送波を受信する。アンテナ１１０1による受信信号ＲＦＳ1は、ＲＦ処理ユニット１２０1へ送られる。また、アンテナ１１０2による受信信号ＲＦＳ2は、ＲＦ処理ユニット１２０2へ送られる。
【００２６】
上記のＲＦ処理ユニット１２０1は、アンテナ１１０1から送られた受信信号ＲＦＳ1を受ける。ＲＦ処理ユニット１２０1は、受信制御ユニット１８０から送られた選局指令ＣＳＬ1に従って、選択すべき物理チャンネルの信号を受信信号ＲＦＳ1から抽出する選局処理を行う。ＲＦ処理ユニット１２０1による選局結果は、信号ＩＦＤ1として、再生処理ユニット１３０及び受信制御ユニット１８０へ送られる。
【００２７】
上記のＲＦ処理ユニット１２０2は、アンテナ１１０2から送られた受信信号ＲＦＳ2を受ける。ＲＦ処理ユニット１２０2は、受信制御ユニット１８０から送られた選局指令ＣＳＬ2に従って、選択すべき物理チャンネルの信号を受信信号ＲＦＳ2から抽出する選局処理を行う。ＲＦ処理ユニット１２０2による選局結果は、信号ＩＦＤ2として、再生処理ユニット１３０及び受信制御ユニット１８０へ送られる。
【００２８】
ＲＦ処理ユニット１２０j（ｊ＝１，２）は、入力フィルタと、高周波増幅器（ＲＦ−ＡＭＰ：Radio Frequency-Amplifier）と、バンドパスフィルタ（以下、「ＲＦフィルタ」とも呼ぶ）とを備えている。また、ＲＦ処理ユニット１２０jは、ミキサ（混合器）と、中間周波フィルタ（以下、「ＩＦフィルタ」と呼ぶ）と、ＡＤ（Analogue to Digital）変換器と、局部発振回路（ＯＳＣ）とを備えている。
【００２９】
ここで、入力フィルタは、対応するアンテナ１１０jから送られた受信信号ＲＦＳjの低周波成分を遮断するハイパスフィルタである。高周波増幅器は、入力フィルタを通過した信号を増幅する。ＲＦフィルタは、高周波増幅器から出力された信号のうち、高周波帯の信号を選択的に通過させる。ミキサは、ＲＦフィルタを通過した信号と、局部発振回路から供給された局部発振信号とを混合する。
【００３０】
ＩＦフィルタは、ミキサから出力された信号のうち、予め定められた中間周波数範囲の信号を選択して通過させる。こうしてＩＦフィルタを通過した信号は、信号ＩＦＳjとして、ＡＤ変換器へ送られる。ＡＤ変換器は、信号ＩＦＳjをＡＤ変換して中間周波信号ＩＦＤjを生成する。
【００３１】
なお、局部発振回路は、電圧制御等により発振周波数の制御が可能な発振器等を備えて構成される。この局部発振回路は、受信制御ユニット１８０から送られた選局指令ＣＳＬjに従って、選局すべき希望局に対応する周波数の局部発振信号を生成し、ミキサへ供給する。
【００３２】
本実施形態では、アンテナ１１０1が第１のアンテナに対応し、ＲＦ処理ユニット１２０1が、第１受信処理部の一部の機能を果たすようになっている。また、アンテナ１１０2が第２のアンテナに対応し、ＲＦ処理ユニット１２０2が、第２受信処理部の一部の機能を果たすようになっている。
【００３３】
上記の再生処理ユニット１３０は、受信制御ユニット１８０による制御もとで、ＲＦ処理ユニット１２０1，１２０2から送られる信号ＩＦＤ1，ＩＦＤ2の処理を行う。そして、再生処理ユニット１３０は、選局した放送波に「道路交通情報」を担ったデータ放送信号が含まれている場合には、当該データ放送信号に基づき表示ユニット１６０へ供給する道路交通情報の画像データＩＤＴを生成する。また、再生処理ユニット１３０は、選局した放送波に含まれる音声信号に基づき音出力ユニット１５０へ供給する音声データＡＤＴを生成する。再生処理ユニット１３０の構成の詳細については、後述する。
【００３４】
上記の入力ユニット１４０は、放送受信装置１００の本体部に設けられたキー部、及び／又はキー部を備えるリモート入力装置等により構成される。ここで、本体部に設けられたキー部としては、表示ユニット１６０の表示デバイスに設けられたタッチパネルを用いることができる。また、キー部を有する構成に代えて、又は併用して音声認識技術を利用して音声にて入力する構成を採用することもできる。
【００３５】
この入力ユニット１４０を利用者が操作することにより、放送受信装置１００の動作内容の設定や動作指令の入力が行われる。例えば、選局指定等の利用者による入力が、入力ユニット１４０を利用して行われる。入力ユニット１４０への入力内容は、入力データＩＰＤとして、受信制御ユニット１８０へ送られる。
【００３６】
上記の音出力ユニット１５０は、（ｉ）再生処理ユニット１３０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されているチャンネルの放送波に対応する放送音声を再生出力する。
【００３７】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から送られた画像データＩＤＴに基づいて、当該表示デバイスに画像を表示させる表示制御回路とを備えている。この表示ユニット１６０は、「道路交通情報」を反映した画像を再生表示する。
【００３８】
上記の受信制御ユニット１８０は、様々な処理を行うとともに、放送受信装置１００の全体の動作を制御する。受信制御ユニット１８０の構成の詳細については、後述する。
【００３９】
＜再生処理ユニット１３０の構成＞
次に、再生処理ユニット１３０の構成について説明する。再生処理ユニット１３０は、図２に示されるように、検波部１３１1と、検波部１３１2と、切替部１３２と、データ信号用復号部１３３と、ステレオ復調部１３４とを備えている。
【００４０】
上記の検波部１３１1は、ＲＦ処理ユニット１２０1から送られた信号ＩＦＤ1を受ける。そして、検波部１３１1は、当該信号に対して、所定方式でデジタル検波処理を施して検波信号ＤＴＤ1を生成する。こうして生成された検波信号ＤＴＤ1は、切替部１３２へ送られる。
【００４１】
上記の検波部１３１2は、ＲＦ処理ユニット１２０2から送られた信号ＩＦＤ2を受ける。そして、検波部１３１2は、当該信号に対して、検波部１３１1の場合と同様の所定方式でデジタル検波処理を施して検波信号ＤＴＤ2を生成する。こうして生成された検波信号ＤＴＤ2は、切替部１３２へ送られる。
【００４２】
本実施形態では、検波部１３１1が、第１受信処理部の一部の機能を果たすとともに、検波部１３１2が、第２受信処理部の一部の機能を果たすようになっている。
【００４３】
上記の切替部１３２は、検波部１３１1，１３１2のそれぞれから送られた検波信号ＤＴＤ1，ＤＴＤ2を受ける。そして、切替部１３２は、受信制御ユニット１８０による制御のもとで、検波信号ＤＴＤ1，ＤＴＤ2の出力先の切替処理を行う。
【００４４】
この切替部１３２は、受信制御ユニット１８０から送られた切替制御指令ＳＷＣにより、後述する「ａ選択受信」指定がなされると、検波部１３１1から送られた検波信号ＤＴＤ1を、検波信号ＤＴＤDとしてデータ信号用復号部１３３へ送るとともに、検波部１３１2から送られた検波信号ＤＴＤ2を、検波信号ＤＴＤAとしてステレオ復調部１３４へ送る。また、切替部１３２は、切替制御指令ＳＷＣにより、後述する「ｂ選択受信」指定がなされると、検波部１３１2から送られた検波信号ＤＴＤ2を、検波信号ＤＴＤDとしてデータ信号用復号部１３３へ送るとともに、検波部１３１1から送られた検波信号ＤＴＤ1を、検波信号ＤＴＤAとしてステレオ復調部１３４へ送る。
【００４５】
上記のデータ信号用復号部１３３は、切替部１３２から送られた検波信号ＤＴＤDを受ける。データ信号用復号部１３３は、検波信号ＤＴＤDを受けると、「道路交通情報」を担うデータ放送信号のブロック同期の確立処理を行う。そして、データ信号用復号部１３３は、データ放送信号のブロック同期が確立すると、「ブロックＡ」を受信したタイミングで、ブロックＡ報告ＲＰＡを受信制御ユニット１８０へ送る。なお、ブロックＡ報告ＲＰＡは、上述したＲＤＳデータの１グループの伝送期間長に対応して、８７．６［ｍｓｅｃ］ごとに受信制御ユニット１８０へ送られるようになっている。
【００４６】
また、データ信号用復号部１３３は、検波信号ＤＴＤDに対して、符号の誤り検出、誤り訂正等の復号処理を施し、「道路交通情報」に関する画像データＩＤＴを生成する。そして、データ信号用復号部１３３は、生成された画像データＩＤＴを、表示ユニット１６０へ送る。また、データ信号用復号部１３３は、誤り検出の結果であるビットエラー率ＢＥＲを、受信制御ユニット１８０へ送る。すなわち、データ信号用復号部１３３は、検出部の一部の機能を果たすようになっている。
【００４７】
上記のステレオ復調部１３４は、切替部１３２から送られた検波信号ＤＴＤAを受ける。そして、ステレオ復調部１３４は、検波信号ＤＴＤAに対して、セパレーション処理を含めたステレオ復調処理を施し、音声データＡＤＴを生成する。こうして生成された音声データは、音出力ユニット１５０へ送られる。
【００４８】
本実施形態では、データ信号用復号部１３３が、第１再生信号生成部の機能を果たすとともに、ステレオ復調部１３４が、第２再生信号生成部の機能を果たすようになっている。
【００４９】
＜受信制御ユニット１８０の構成＞
次いで、受信制御ユニット１８０の構成について説明する。受信制御ユニット１８０は、図３に示されるように、検出部１８１1，１８１2と、制御部１８５とを備えている。
【００５０】
上記の検出部１８１1は、ＲＦ処理ユニット１２０1から送られた信号ＩＦＤ1を受ける。そして、検出部１８１1は、信号ＩＦＤ1の品質に関する情報を検出し、当該品質に関する情報の検出結果を制御部１８５へ送る。上記の検出部１８１2は、ＲＦ処理ユニット１２０2から送られた信号ＩＦＤ2を受ける。そして、検出部１８１2は、信号ＩＦＤ2の品質に関する情報を検出し、当該品質に関する情報の検出結果を制御部１８５へ送る。ここで、制御部１８５の構成の説明に先立って、検出部１８１1，１８１2の構成の詳細について説明する。
【００５１】
（検出部１８１1，１８１2の構成）
上述した検出部１８１j（ｊ＝１，２）の構成について説明する。検出部１８１jは、図４に示されるように、レベル検出部２１１jと、振幅変調（ＡＭ）成分抽出部２１２jと、レベル検出部２１３jとを備えている。また、検出部１８１jは、バンドパスフィルタ（ＢＰＦ）部２１４j，２１５jと、レベル検出部２１６j，２１７jとを備えている。
【００５２】
上記のレベル検出部２１１jは、ＲＦ処理ユニット１２０jから送られた信号ＩＦＤjを受ける。そして、レベル検出部２１１jは、信号ＩＦＤjのレベルを検出する。このレベル検出部２１１jによる検出結果は、ＲＦ処理ユニット１２０jにより選局されている放送局の放送波の電界強度を反映したものとなっている。レベル検出部２１１jによる検出結果は、信号レベルＳＬＤjとして、制御部１８５へ送られる。
【００５３】
上記のＡＭ成分抽出部２１２jは、ＲＦ処理ユニット１２０jから送られた信号ＩＦＤjを受ける。そして、ＡＭ成分抽出部２１２jは、信号ＩＦＤjのＡＭ変調成分を抽出する。かかるＡＭ変調成分は、マルチパスフェージングの影響により発生するものである。ＡＭ成分抽出部２１２jによる抽出結果は、信号ＭＰＤjとして、レベル検出部２１３jへ送られる。
【００５４】
上記のレベル検出部２１３jは、ＡＭ成分抽出部２１２jから送られた信号ＭＰＤjを受ける。そして、レベル検出部２１３jは、信号ＭＰＤjのレベルを検出する。このレベル検出部２１３jによる検出結果は、マルチパスフェージングの影響度を反映したものとなっている。レベル検出部２１３jによる検出結果は、マルチパスレベルＭＰＬjとして、制御部１８５へ送られる。
【００５５】
上記のＢＰＦ部２１４jは、ＲＦ処理ユニット１２０jから送られた信号ＩＦＤjを受ける。そして、ＢＰＦ部２１４jは、選局指定されている放送局の中心周波数よりも周波数の低い下方隣接局の中心周波数を中心とする狭帯域の成分を通過させる。ＢＰＦ部２１４jを通過した信号ＮＭＤjは、レベル検出部２１６jへ送られる。図５には、ＢＰＦ部２１４jの通過率の周波数変化特性の例が示されている。
【００５６】
ここで、図５においては、選局指定されている放送局の中心周波数ＩＦ0より周波数の低い下方隣接局の中心周波数が「ＩＦ-」として示され、当該中心周波数ＩＦ0より周波数の高い上方隣接局の中心周波数が「ＩＦ+」として示されている。また、図５においては、選局指定されている放送局の信号の周波数分布の例が曲線ＳＰ0（Ｆ）として示され、下方隣接局及び上方隣接局の信号の周波数分布の例が曲線ＳＰ-（Ｆ），ＳＰ+（Ｆ）として示されている。こうした図５における表記は、後述する図６においても同様となっている。
【００５７】
上記のＢＰＦ部２１５jは、ＲＦ処理ユニット１２０jから送られた信号ＩＦＤjを受ける。そして、ＢＰＦ部２１５jは、上述した周波数ＩＦ+を中心とする狭帯域の成分を通過させる。ＢＰＦ部２１５jを通過した信号ＮＰＤjは、レベル検出部２１７jへ送られる。図６には、ＢＰＦ部２１５jの通過率の周波数変化特性の例が示されている。
【００５８】
上記のレベル検出部２１６jは、ＢＰＦ部２１４jから送られた信号ＮＭＤjを受ける。そして、レベル検出部２１６jは、信号ＮＭＤjのレベルを検出する。このレベル検出部２１６jによる検出結果は、周波数ＩＦ-を中心周波数とする下方隣接局の電界強度、ひいては信号ＩＦＤjにおける下方隣接局の信号の混入度を反映している。レベル検出部２１６jによる検出結果は、下方隣接局レベルＮＬＭjとして、制御部１８５へ送られる。
【００５９】
上記のレベル検出部２１７jは、ＢＰＦ部２１５jから送られた信号ＮＰＤjを受ける。そして、レベル検出部２１７jは、信号ＮＰＤjのレベルを検出する。このレベル検出部２１７jによる検出結果は、周波数ＩＦ+を中心周波数とする上方隣接局の電界強度、ひいては信号ＩＦＤjにおける上方隣接局の信号の混入度を反映している。レベル検出部２１７jによる検出結果は、上方隣接局レベルＮＬＰjとして、制御部１８５へ送られる。
【００６０】
図３に戻り、上記の制御部１８５は、様々な処理を行うことにより、放送受信装置１００の機能を実現させる。この制御部１８５は、データ信号用復号部１３３から送られたビットエラー率ＢＥＲを受ける。そして、制御部１８５は、ビットエラー率ＢＥＲに基づいて、信号ＤＴＤDの品質を評価することにより、データ希望局放送波の受信品質を評価する。
【００６１】
また、制御部１８５は、検出部１８１1から送られた信号レベルＳＬＤ1、マルチパスレベルＭＰＬ1、下方隣接局レベルＮＬＭ1及び上方隣接局レベルＮＬＰ1を受ける。そして、制御部１８５は、これらのレベルＳＬＤ1，ＭＰＬ1，ＮＬＭ1，ＮＬＰ1に基づいて、信号ＩＦＤ1の品質を評価することにより、アンテナ１１０1で受信した放送波の受信品質を評価する。また、制御部１８５は、検出部１８１2から送られた信号レベルＳＬＤ2、マルチパスレベルＭＰＬ2、下方隣接局レベルＮＬＭ2及び上方隣接局レベルＮＬＰ2を受ける。そして、制御部１８５は、これらのレベルＳＬＤ2，ＭＰＬ2，ＮＬＭ2，ＮＬＰ2に基づいて、信号ＩＦＤ2の品質を評価することにより、アンテナ１１０2で受信した放送波の受信品質を評価する。また、制御部１８５は、データ信号用復号部１３３から送られたブロックＡ報告ＲＰＡを受ける。
【００６２】
そして、制御部１８５は、信号ＤＴＤDの品質、信号ＩＦＤ1の品質及び信号ＩＦＤ2の品質、並びに、ブロックＡ報告ＲＰＡの内容等に基づいて、放送受信装置１００における「ａ選択受信」及び「ｂ選択受信」のいずれかの選択受信に決定する。ここで、「ａ選択受信」では、制御部１８５は、ＲＦ処理ユニット１２０1に所望の「道路交通情報」を担ったデータ放送を含む放送を行う放送局（以下、「データ希望局」ともいう）から送信される放送波（第１の放送波：以下、「データ希望局放送波」ともいう）を選局させるとともに、ＲＦ処理ユニット１２０2に音声放送を行っている放送局（以下、「音声希望局」ともいう）から送信される放送波（第２の放送波：以下、「音声希望局放送波」ともいう）を選局させる。そして、検波部１３１1から出力される検波信号ＤＴＤ1が、検波信号ＤＴＤDとしてデータ信号用復号部１３３へ送られ、検波部１３１2から出力される検波信号ＤＴＤ2が、検波信号ＤＴＤAとしてステレオ復調部１３４へ送られる。
【００６３】
また、「ｂ選択受信」では、制御部１８５は、ＲＦ処理ユニット１２０2にデータ希望局から送信されるデータ希望局放送波を選局させるとともに、ＲＦ処理ユニット１２０1に音声希望局から送信される音声希望局放送波を選局させる。そして、検波部１３１2から出力される検波信号ＤＴＤ2が、検波信号ＤＴＤDとしてデータ信号用復号部１３３へ送られ、検波部１３１1から出力される検波信号ＤＴＤ1が、検波信号ＤＴＤAとしてステレオ復調部１３４へ送られる。
【００６４】
ここで、「音声希望局」とは、特定した一の放送局をいうものではなく、利用者により選局指定されている音声放送を行っている放送局をいう。
【００６５】
かかる２つの選択受信の切り替え制御に際して、制御部１８５は、ＲＦ処理ユニット１２０1へ選局指令ＣＳＬ1を送るとともに、ＲＦ処理ユニット１２０2へ選局指令ＣＳＬ2を送る。また、制御部１８５は、再生処理ユニット１３０の切替部１３２へ向けて切替制御指令ＳＷＣを送る。
【００６６】
制御部１８５が実行する２つの選択受信の切り替え制御処理の詳細については、後述する。
【００６７】
［動作］
以上のようにして構成された放送受信装置１００の動作について、制御部１８５による「ａ選択受信」及び「ｂ選択受信」の切り替え制御処理に主に着目して説明する。
【００６８】
かかる選択受信の切り替え制御処理は、利用者が放送受信装置１００の電源を投入し、入力ユニット１４０を利用して、音声希望局を指定した選局指定が行われることにより開始する。
【００６９】
なお、当該選局指定時においては、放送受信装置１００では、制御部１８５は、「ａ選択受信」及び「ｂ選択受信」のいずれか一方の選択受信を指定している。そして、制御部１８５が「ａ選択受信」を指定している場合には、制御部１８５は、データ希望局に対応する選局指令（ＣＳＬ1）をＲＦ処理ユニット１２０1へ送るとともに、利用者により選局指定された音声希望局に対応する選局指令（ＣＳＬ2）をＲＦ処理ユニット１２０2へ送る。また、制御部１８５が「ａ選択指定」を指定している場合には、制御部１８５は、切替部１３２へ向けて、検波部１３１1から送られた検波信号ＤＴＤ1を、検波信号ＤＴＤDとしてデータ信号用復号部１３３へ送るとともに、検波部１３１2から送られた検波信号ＤＴＤ2を、検波信号ＤＴＤAとしてステレオ復調部１３４へ送ることを指定した切替制御指令ＳＷＣを送っている。
【００７０】
こうした「ａ選択受信」の指定状態では、ＲＦ処理ユニット１２０1から出力された信号ＩＦＤ1は、検波部１３１1へ送られ、検波部１３１1により検波処理が施された検波信号ＤＴＤ1が、データ信号用復号部１３３へ送られる。また、ＲＦ処理ユニット１２０2から出力される信号ＩＦＤ2は、検波部１３１2へ送られ、検波部１３１2により検波処理が施された検波信号ＤＴＤ2が、ステレオ復調部１３４へ送られる。そして、制御部１８５は、データ信号用復号部１３３から送られるビットエラー率ＢＥＲを受けているものとする。
【００７１】
また、制御部１８５が「ｂ選択受信」を指定している場合には、制御部１８５は、データ希望局に対応する選局指令（ＣＳＬ2）をＲＦ処理ユニット１２０2へ送るとともに、利用者により選局指定された音声希望局に対応する選局指令（ＣＳＬ1）をＲＦ処理ユニット１２０1へ送る。また、制御部１８５が「ｂ選択指定」を指定している場合には、制御部１８５は、切替部１３２へ向けて、検波部１３１2から送られた検波信号ＤＴＤ2を、検波信号ＤＴＤDとしてデータ信号用復号部１３３へ送るとともに、検波部１３１1から送られた検波信号ＤＴＤ1を、検波信号ＤＴＤAとしてステレオ復調部１３４へ送ることを指定した切替制御指令ＳＷＣを送っている。
【００７２】
こうした「ｂ選択受信」の指定状態で、ＲＦ処理ユニット１２０2から出力された信号ＩＦＤ2は、検波部１３１2へ送られ、検波部１３１2により検波処理が施された検波信号が、データ信号用復号部１３３へ送られる。また、ＲＦ処理ユニット１２０1から出力される信号ＩＦＤ1は、検波部１３１1へ送られ、検波部１３１1により検波処理が施された検波信号が、ステレオ復調部１３４へ送られる。そして、制御部１８５は、データ信号用復号部１３３から送られるエラービット率ＢＥＲを受けているものとする。
【００７３】
このような状況のもとで、図７に示されるように、まず、ステップＳ１１において、制御部１８５が、データ放送信号のブロック同期が確立して、データ信号用復号部１３３から送られるブロックＡ報告ＲＰＡを受けたか否かを判定する。この判定の結果が否定的であった場合（ステップＳ１１：Ｎ）には、ステップＳ１１の処理が繰り返される。一方、ステップＳ１１における判定の結果が肯定的であった場合（ステップＳ１１：Ｙ）には、処理はステップＳ１２へ進む。
【００７４】
ステップＳ１２では、制御部１８５が、データ信号用復号部１３３から送られたビットエラー率ＢＥＲに基づいて、データ希望局放送波の受信品質を評価する。そして、制御部１８５は、データ希望局放送波の受信品質が所定の値以上であるか否かを判定することにより、データ希望局放送波の受信品質が良好であるか否かを判定する。この判定の結果が否定的であった場合には、ステップＳ１２の処理が繰り返される。一方、ステップＳ１２における判定の結果が肯定的であった場合（ステップＳ１２：Ｙ）には、処理はステップＳ１３へ進む。
【００７５】
ここで、「所定の値」は、現時点でデータ希望局放送波を受信しているアンテナで確実に道路交通情報を取得できるとともに、他のアンテナに切り替えてデータ希望局放送波を受信した際にも、確実に道路交通情報を取得することができるとの観点から、実験、シミュレーション、経験等に基づいて、予め定められる。
【００７６】
ステップＳ１３では、制御部１８５が、ブロックＡの受信タイミングになったか否かを判定する。この判定の結果が否定的であった場合（ステップＳ１３：Ｎ）には、処理はステップＳ１２へ戻る。一方、ステップＳ１３における判定の結果が肯定的であった場合（ステップＳ１３：Ｙ）には、処理はステップＳ１４へ進む。
【００７７】
ここで、ブロックＡの受信タイミングを判定するに際して、制御部１８５は、ステップＳ１１においてブロックＡ報告ＲＰＡを取得したときから計時を開始する。そして、制御部１８５は、計時を開始してから第１所定期間（本実施形態では、８７．６［ｍｓｅｃ］）が経過するたびに、当該ブロックＡの受信タイミングになったと判定する。また、制御部１８５は、当該計時された受信タイミングと新たにブロックＡ報告ＲＰＡを取得したタイミングとにズレが生じた場合には、タイマをリセットし、新たにブロックＡ報告ＲＰＡを取得したときから計時を開始するようにしている。
【００７８】
ステップＳ１４では、制御部１８５が、第２所定期間にわたって、２つのＲＦ処理ユニットに、音声希望局を選局させる。すなわち、音声希望局に対応する選局指令をＲＦ処理ユニット１２０1，１２０2へ送る。
【００７９】
ここで、「第２所定期間」は、本実施形態では、ブロックＡのデータ信号を受信する期間長である２１．９［ｍｓｅｃ］以下の期間長の期間となっている。
【００８０】
次に、ステップＳ１５において、制御部１８５が、検出部１８１1から送られたレベルＳＬＤ1，ＭＰＬ1，ＮＬＭ1，ＮＬＰ1に基づいて、信号ＩＦＤ1の品質を評価することにより、ＲＦ処理ユニット１２０1により選局されている音声希望局放送波の受信品質を取得する。また、制御部１８５は、検出部１８１2から送られたレベルＳＬＤ2，ＭＰＬ2，ＮＬＭ2，ＮＬＰ2に基づいて、信号ＩＦＤ2の品質を評価することにより、ＲＦ処理ユニット１２０2により選局されている音声希望局放送波の受信品質を取得する。この後、処理はステップＳ１６へ進む。
【００８１】
ステップＳ１６では、制御部１８５は、ステップＳ１５において変更したＲＦ処理ユニット１２０1，１２０2の選局周波数を、元に戻す。この後、処理はステップＳ１７へ進む。このステップＳ１７では、「検波信号の出力先の決定制御処理」が行われる。この「検波信号の出力先の決定制御処理」の詳細については、後述する。
【００８２】
ステップＳ１７における「検波信号の出力先の決定制御処理」が終了すると、処理はステップＳ１２へ戻る。以後、ステップＳ１２〜Ｓ１７の処理が繰り返されて、選択受信の切り替え制御処理が行われる。
【００８３】
＜検波信号の出力先の決定制御処理＞
次に、上述したステップＳ１７における「検波信号の出力先の決定制御処理」について説明する。
【００８４】
この「検波信号の出力先の決定制御処理」では、図８に示されるように、まず、ステップＳ２１において、制御部１８５が、上述したステップＳ１５において取得した音声希望局放送波の受信品質に基づいて、ＲＦ処理ユニット１２０2で選局した音声希望局放送波の受信品質が、ＲＦ処理ユニット１２０1で選局した音声希望局放送波の受信品質よりも良好であるか否かを判定する。この判定の結果が肯定的であった場合（ステップＳ２１：Ｙ）には、処理はステップＳ２２へ進む。
【００８５】
ステップＳ２２では、制御部１８５が、現時点の選択受信の指定が、「ａ選択受信」であるか否かを判定する。この判定の結果が肯定的であった場合（ステップＳ２２：Ｙ）には、検波信号の出力先の切り替えをせずに、ステップＳ１７の処理が終了する。そして、処理は、上述した図７のステップＳ１２へ戻る。
【００８６】
一方、ステップＳ２２における判定の結果が否定的であった場合には、処理はステップＳ２３へ進む。このステップＳ２３では、制御部１８５が、「ａ選択受信」を指定する。こうして「ａ選択受信」が選択されると、ステップＳ２３の処理が終了する。そして、処理は、上述した図７のステップＳ１１へ戻る。
【００８７】
一方、ステップＳ２１における判定の結果が否定的であった場合（ステップＳ２１：Ｎ）、すなわち、ＲＦ処理ユニット１２０1で選局された音声希望局放送波の受信品質が、ＲＦ処理ユニット１２０2で選局された音声希望局放送波の受信品質よりも良好である場合には、処理はステップＳ２４へ進む。
【００８８】
ステップＳ２４では、制御部１８５が、現時点の選択受信の指定が、「ｂ選択受信」であるか否かを判定する。この判定の結果が肯定的であった場合（ステップＳ２４：Ｙ）には、検波信号の出力先の切り替えをせずに、ステップＳ１７の処理が終了する。そして、処理は、上述した図７のステップＳ１２へ戻る。
【００８９】
一方、ステップＳ２４における判定の結果が否定的であった場合（ステップＳ２４：Ｎ）には、処理はステップＳ２５へ進む。このステップＳ２５では、制御部１８５が、「ｂ選択受信」を指定する。こうして「ｂ選択受信」が選択されると、ステップＳ１７の処理が終了する。そして、処理は、上述した図７のステップＳ１２へ戻る。
【００９０】
以上説明したように、本実施形態では、アンテナ１１０1又はアンテナ１１０2で受信しているデータ希望局放送波の受信品質が良好であることを条件として、データ放送信号に道路交通情報が含まれていない第２所定期間（ＲＳＤデータのブロックＡを受信している期間）にわたって、制御部１８５が、双方のＲＦ処理ユニット１２０1，１２０2に、利用者が指定している音声希望局を選局させる。そして、制御部１８５は、第２所定期間におけるＲＦ処理ユニット１２０1，１２０2から出力される信号ＩＦＤ1，ＩＦＤ2の品質を評価する。
【００９１】
引き続き、制御部１８５は、所定期間における信号ＩＦＤ1，ＩＦＤ2の品質に基づいて、より良好な受信品質の音声希望放送波を選局したＲＦ処理ユニットに音声希望局を選局させるとともに、他方のＲＦ処理ユニットにデータ希望局を選局させる。また、制御部１８５は、かかる選局指令と並行して、音声希望局を選局しているＲＦ処理ユニットに接続させる検波部の接続先を、ステレオ復調部１３４に指定するとともに、データ希望局を選局しているＲＦ処理ユニットに接続される検波部の出力先を、データ信号用復号部１３３に指定する。
【００９２】
このように、本実施形態では、道路交通情報の実体情報を担った信号が含まれない期間（ブロックＡの受信期間（期間長：２１．９［ｍｓｅｃ］）にわたって、アンテナ１１０1，１１０2が受信した音声希望放送波の受信品質を評価するため、受信すべき道路交通情報を欠損なく取得することができる。また、当該音声希望放送波の受信品質の評価を、第１所定期間（８７．６［ｍｓｅｃ］）ごとに行うため、アンテナ切り替えによりダイバーシティ受信効果が十分に発揮できている。
【００９３】
このため、放送信号にデータ信号を含んだ放送局から送信される放送波、及び、当該放送局とは異なる放送局から送信される放送波を受信するに際して、道路交通情報等のような重要情報の取得を最優先させたうえで、音声放送等を行う希望局の再生品質向上にも貢献することができる。
【００９４】
したがって、本実施形態によれば、放送信号にデータ信号を含んだ放送を受信し、適切な受信処理を行うことができる。
【００９５】
［実施形態の変形］
本発明は、上記の実施形態に限定されるものではなく、様々な変形が可能である。
【００９６】
例えば、上記の実施形態では、データ希望局放送波に基づく検波信号の復号処理の際に検出したビットエラー率に基づいて、データ希望局放送波の受信品質を評価した。これに対して、受信したデータ希望局放送波に基づく信号のＣＮＲ（Carrier to Noise Ratio）等を検出して、当該ＣＮＲ等に基づいて、データ希望局放送波の受信品質を評価するようにしてもよい。
【００９７】
また、上記の実施形態では、放送波の電界強度を反映した信号レベル、マルチパスフェージングの影響度を反映したマルチパスレベル、選局指定されている放送局の下方隣接局の信号の混入度を反映した下方隣接局レベル、及び、選局指定されている放送局の上方隣接局の信号の混入度を反映した上方隣接局レベルに基づいて、放送波の受信品質を評価することとした。これに対して、例えば、放送波の電界強度を反映した信号レベルのみに基づいて、放送波の受信品質を評価するようにしてもよいし、放送波の電界強度を反映した信号レベル及びマルチパスレベルに基づいて、放送波の受信品質を評価するようにしてもよい。また、放送波の電界強度を反映した信号レベル、並びに、下方隣接局レベル及び上方隣接局レベルに基づいて、放送波の受信品質を評価するようにしてもよい。
【００９８】
また、放送波の受信品質を評価するに際しては、検波部により検波処理が施された検波信号の高周波成分の信号レベルを検出し、当該高周波成分の信号レベル（高周波ノイズレベル）を利用して、放送波の受信品質を評価するようにしてもよい。
【００９９】
また、上記の実施形態では、切替部を検波部の後段に配置することとしたが、切替部を検波部の直前の前段に配置するようにしてもよい。この場合には、切替部は、ＲＦ処理ユニットから出力される中間周波信号ＩＦＤ1，ＩＦＤ２を受ける。そして切替部は、受信制御ユニットから送られる切替制御指令に従って、中間周波信号ＩＦＤ1，ＩＦＤ２を２つの検波部のいずれかへ送ることとなる。なお、切替部を検波部の直前の前段に配置するようにした場合には、ＲＦ処理ユニット１２０1が、第１受信処理部の機能を果たすとともに、ＲＦ処理ユニット１２０2が、第２受信処理部の機能を果たすようになっている。また、検波部１３１1及びデータ信号用復号部が、第１再生信号生成部の機能を果たすとともに、検波部１３１2及びステレオ復調部が、第２再生信号生成部の機能を果たすようになっている。
【０１００】
また、切替部を、アンテナ１１０1，１１０2と、ＲＦ処理ユニット１２０1，１２０2との間に配置するようにしてもよい。
【０１０１】
また、上記の実施形態では、２チューナ構成としたが、アンテナとＲＦ処理ユニットとの対を３対以上とすることもできる。例えば、４チューナ構成を採用する場合には、２つのチューナをＲＦ処理ユニット１２０1に対応させて、他の２つのチューナをＲＦ処理ユニット１２０2に対応させることができる。
【０１０２】
また、上記の実施形態では、「道路交通情報」を担ったデータ放送信号を受信して処理することとしたが、受信処理するデータ放送信号としては、「道路交通情報」以外の情報であってもよい。
【０１０３】
また、上記の実施形態では、データ放送信号及び音声放送信号の並行受信処理を行うようにしたが、２種類のデータ放送信号の並行受信処理を行うようにしてもよい。
【０１０４】
また、上記の実施形態では、音声希望局から送信される音声放送信号は、アナログ情報を担う信号としたが、デジタル情報を担う信号であってもよい。
【０１０５】
また、上記の実施形態では、ＲＤＳ方式のデジタル放送に本発明を適用したが、他の方式のデジタル放送に本発明を適用することができる。
【０１０６】
また、上記の実施形態においては、車両に搭載される放送受信装置に本発明を適用したが、車両以外の他の移動体に配置される放送受信装置にも本発明を適用することもできるし、スマートフォン等の携帯端末装置に配置される放送受信装置にも本発明を適用することができる。
【０１０７】
なお、上記の受信制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における受信制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１０８】
１００    …  放送受信装置
１２０1   …  ＲＦ処理ユニット（第１受信処理部の一部）
１２０2   …  ＲＦ処理ユニット（第２受信処理部の一部）
１３１1   …  検波部（第１受信処理部の一部）
１３１2   …  検波部（第２受信処理部の一部）
１３３    …  データ信号用復号部（第１再生信号生成部、検出部の一部）
１３４    …  ステレオ復調部（第２再生信号生成部）
１８１1   …  検出部
１８１2   …  検出部
１８５    …  制御部
【図１】
2014204274.tif 000003
【図２】
2014204274.tif 000004
【図３】
2014204274.tif 000005
【図４】
2014204274.tif 000006
【図５】
2014204274.tif 000007
【図６】
2014204274.tif 000008
【図７】
2014204274.tif 000009
【図８】
2014204274.tif 000010